(57)【要約】【課題】増設機能を有する装置と増設装置を接合する際に、接合面が見えづらくても簡易的に接合作業が行うことができ、装置間の衝突による破損を防ぐことができる装置取り付け構造を提供する。【解決手段】本発明に係る装置取り付け構造は、第１の装置と、第１の装置の下方に取り付けられる第２の装置と、第１の装置の下方に第２の装置を取り付けるための装置取り付け構造であって、第１の装置は、底面に、第２の装置の上面と接する第１の接合面を少なくとも２面有する凹型構造を備え、第２の装置は、上面に、第１の装置の底面と接する第２の接合面を少なくとも２面有する凸型構造を備える、ことを特徴とし、第１の接合面のうち、少なくとも２面は、鉛直方向に対して傾斜を成しており、傾斜の上り勾配は、第１の装置の内部に向かう方向であり、第２の接合面のうち、少なくとも２面は、鉛直方向に対して傾斜を成している、ことを特徴とする。【選択図】図３
2017009714.tif 000002
【特許請求の範囲】
【請求項１】
第１の装置と、前記第１の装置の下方に取り付けられる第２の装置と、第１の装置の下方に第２の装置を取り付けるための装置取り付け構造であって、
前記第１の装置は、底面に、前記第２の装置の上面と接する第１の接合面を少なくとも２面有する凹型構造を備え、
前記第２の装置は、前記上面に、前記第１の装置の前記底面と接する第２の接合面を少なくとも２面有する凸型構造を備える、
ことを特徴とし、
前記第１の接合面のうち、少なくとも２面は、鉛直方向に対して傾斜を成しており、前記傾斜の上り勾配は、前記第１の装置の内部に向かう方向であり、
前記第２の接合面のうち、少なくとも２面は、鉛直方向に対して前記傾斜を成している、
ことを特徴とする装置取り付け構造。
【請求項２】
前記第１の接合面には、摺動性を有する部材が設けられている、
ことを特徴とする請求項１に記載の装置取り付け構造。
【請求項３】
前記第２の接合面には、摺動性を有する部材が設けられている、
ことを特徴とする請求項１から２に記載の装置取り付け構造。
【請求項４】
前記第２の装置の前記上面の内の少なくとも１面に、前記第１の装置の摺動方向に対する向きの接合部を有するコネクタと、
前記第１の装置の摺動方向に位置する正面に、前記コネクタと接合する接合部を有するコネクタ受け部材と、を備え、
前記コネクタと前記コネクタ受け部材は、前記第１の装置を摺動方向に摺動することで電気的接合を実現できる、
ことを特徴とする請求項１から３に記載の装置取り付け構造。
【請求項５】
上面に接合する面を少なくとも２面有する凸型構造を備えた装置を下方に取り付ける画像形成装置であって、
底面は、前記装置の上面と接する接合面を少なくとも２面有する凹型構造であり、
前記接合面のうち、少なくとも２面は、鉛直方向に対して傾斜を成しており、前記傾斜の上り勾配は、前記画像形成装置の内部に向かう方向である、
ことを特徴とする画像形成装置。
【発明の詳細な説明】
【技術分野】
【０００１】
本発明は、装置取り付け構造、および画像形成装置に関する。
【背景技術】
【０００２】
従来の電子写真方式の画像形成装置に機能を追加する装置、例えば、増設給紙ユニットや画像形成装置本体の設置台などの増設装置を増設する際には、画像形成装置の下方の基準穴に増設装置上面に設置されている基準ピンを接合させて増設することが一般的であった。
【０００３】
画像形成装置の基準穴に、増設装置上面に設置されている基準ピンを接合させる作業は、画像形成装置を持ち上げ、画像形成装置の基準穴に増設装置上面に突起している基準ピンを合わせることになる。作業者からすると、基準ピンと基準穴の位置を目視で確認しながらの作業することは非常に困難であり、ある程度、位置の見当を付けて作業をする必要がある。
【０００４】
作業者は、基準ピンと基準穴の位置を目視で確認しながら作業が行うことが困難なため、画像形成装置、および増設装置の装置間で衝突が起こってしまい、衝突が起こった箇所の部品が破損してしまうなどの課題がある。
【０００５】
特許文献１には、電気・電子機器装置や機械装置を収容する筺体において、装置本体とカバー部材の煩雑な取り付けを抑制する筐体取り付け構造が開示されている。
【０００６】
特許文献２には、電子写真方式の画像形成装置と増設装置の取り付けにおいて、増設装置にガイド部材を取り付ける構造が開示されている。
【発明の概要】
【発明が解決しようとする課題】
【０００７】
特許文献１では、装置本体とカバー部材を取り付ける際には、少なからずネジやピンを使用する。特許文献２では、ガイド部材を取り付けたとしても、電子写真方式の画像形成装置などで、増設装置を接合する際は、画像形成装置を増設装置に対して鉛直方向に下ろして設置を行うことが一般的である。つまり、接合の際に基準ピンと基準穴の位置確認がしづらく、装置間の衝突が起こってしまい、衝突が起こった箇所の部品が破損してしまうという従来の課題は解消されていない。
【０００８】
本発明は、上記課題を鑑みてなされたものであり、その目的とするところは、増設機能を有する装置と増設装置を接合する際に、接合面が見えづらくても簡易的に接合作業が行うことができ、装置間の衝突による破損を防ぐことができる装置取り付け構造を提供することである。
【課題を解決するための手段】
【０００９】
係る目的を達成するために、本発明は、以下の特徴を有することとする。
【００１０】
本発明に係る装置取り付け構造は、第１の装置と、第１の装置の下方に取り付けられる第２の装置と、第１の装置の下方に第２の装置を取り付けるための装置取り付け構造であって、第１の装置は、底面に、第２の装置の上面と接する第１の接合面を少なくとも２面有する凹型構造を備え、第２の装置は、上面に、第１の装置の底面と接する第２の接合面を少なくとも２面有する凸型構造を備える、ことを特徴とし、第１の接合面のうち、少なくとも２面は、鉛直方向に対して傾斜を成しており、傾斜の上り勾配は、第１の装置の内部に向かう方向であり、第２の接合面のうち、少なくとも２面は、鉛直方向に対して傾斜を成している、ことを特徴とする。
【発明の効果】
【００１１】
本発明によれば、増設機能を有する装置と増設装置の接合作業を簡易的に行うことができる。また、接合作業時の装置間の衝突による部品の破損を防ぐことができる。
【図面の簡単な説明】
【００１２】
【図１】図１は、本実施形態の画像形成装置の外観を表す図である。
【図２】図２は、本実施形態の画像形成装置、および増設装置の正面図である。
【図３】図３は、本実施形態による画像形成装置と増設装置の取り付け図である。
【図４】本実施形態の画像形成装置と増設装置を電気的に接続するためのコネクタの装着図である。
【発明を実施するための形態】
【００１３】
本発明の実施形態の一例として、電子写真方式の画像形成装置の画像形成プロセスについて図１を用いて説明する。
原稿が原稿処理部２１により画像読取部２２に設置され上記原稿の画像情報が読み取られる。この画像情報が画像処理部において所定の処理をされた後、上記画像情報に応じた画像形成が画像形成部２３によって行われる。
【００１４】
画像形成部２３には第１、第２、第３、第４の４つの画像形成部Pa、Pb、Pc、Pdが並設されている。記録媒体の記録用紙を収納したカセット１１から定着装置１２に至る搬送経路において上記第１、第２、第３、第４の画像形成部Pa、Pb、Pc、Pdの下側には、これらの画像形成部を通過して記録装置を搬送するために循環移動するエンドレスベルト状の記録用紙搬送手段である記録用紙搬送ベルト１３が設けられている。搬送ベルトは図１に矢印Ａで示す方向に駆動ローラ１４によって無端駆動される。
【００１５】
記録用紙はカセット１１から送り出されてレジストローラ対１５で同期をとられて給紙された後、搬送ベルト１３に担持され前記画像形成部Pa、Pb、Pc、Pdへ順次搬送される。定着装置１２は搬送ベルト１３の駆動ローラ１４側から排紙された記録用紙を受けて、画像形成部Pa、Pb、Pc、Pdにおいて記録用紙に重ねて転写された各色のトナーを一括して前記記録用紙に定着させた画像を形成した後、前記記録用紙が排紙トレイ１６に排出される。
【００１６】
本発明の実施例について、図２を用いて説明する。図２は本発明の実施形態の画像形成装置５０１、および増設装置８０１の正面図である。
図２を参照すると、本発明の画像形成装置５０１の底面部は、複数の構造体６０１により構成されており、３つの面を有する凹型構造を形成している。左右で対となっている面は、増設装置との接合面であり、鉛直方向に対して一定の傾斜を成し、傾斜の上り勾配は画像形成装置の内部の方向に向かっている。
【００１７】
また、左右で対となっている面には、板状の部材７０１が配置されている。板状の部材は、画像形成装置の底面部が、破損したりしないよう保護する保護部材であり、プラスチックや板金など、破損を保護できるものであればどのような材料でも構わない。
【００１８】
増設装置８０１の上面は、３つの面を有する凸型構造を形成している。画像形成装置と同様に、左右で対となっている面は、画像形成装置との接合面であり、鉛直方向に一定の傾斜を成し、傾斜の上り勾配は画像形成装置の内部に向かっている。
また、左右で対となっている面には、板状の部材９０１が配置されている。板状の部材は、画像形成装置の底面部が、破損したりしないよう保護する保護部材のような役割を持つものであり、プラスチックや板金など、破損を保護できるものであればどのような材料でも構わない。
【００１９】
図３は、本実施形態による画像形成装置と増設装置の取り付け図である。図３（a）は、画像形成装置と増設装置の接合を示す図であり、図３（b）は接合後の位置合わせを示す図である。以後、図３（a）、および図３（b）を参照しながら画像形成装置と増設装置の接合から位置合わせまでについて説明する。
【００２０】
図３（a）の画像形成装置と増設装置の接合について説明する。
画像形成装置５０１を、増設装置８０１の上方に移動させる。画像形成装置を上方まで移動させたら、画像形成装置５０１の底面と増設装置８０１の上面が接するよう、画像形成装置５０１を降下させる。増設装置８０１の左右で対となっている接合面には、接合面方向に画像形成装置をスライドできるよう摺動部材９１５が設置されている。摺動部材９１５は、ポリアセタール、ポリアミド、フェノール樹脂など、摺動特性を持つ材料であればどのようなものでも構わない。
また、摺動部材は、増設装置側だけでなく、画像形成装置の接合面にも設置することが可能である。双方の装置の接合面に摺動部材を設置することで、装置の摺動性が高まり、よりスムーズな摺動が行え、接合作業の手間が緩和される。
尚、降下する段階では、正確な位置合わせなどは行わなくてよく、画像形成装置５０１の接合面と増設装置８０１の接合面が接していれば十分である。
【００２１】
図３（b）の画像形成装置と増設装置の接合後の位置合わせについて説明する。
図３（b）では、画像形成装置５０１を降下した段階で接合位置がずれている。図示されているスライド方向に押すことで、接合する位置を整えることができ、所定の位置まで画像形成装置５０１をスライドさせたら接合作業は完了となる。
【００２２】
図４は、本実施形態の画像形成装置と増設装置を電気的に接続するためのコネクタの装着図である。
以後は、図４を用いて、画像形成装置と増設装置の接合完了までを説明する。
本実施形態で、コネクタ９３０は、増設装置の上部面の内、突出部に位置する面に備えられている。コネクタ受け部材９２０は、画像形成装置のスライド方向に位置する正面、つまり、図４では背面に備えられている。画像形成装置５０１をスライド方向に摺動することで、画像形成装置５０１と、増設装置８０１と、をコネクタを介して電気的に接続することが可能となる。
【００２３】
本実施形態によれば、増設機能を有する装置と増設装置の接合作業を簡易的に行うことができる。また、従来の装置間の接合で用いていたネジやピンなどの付属部品による位置合わせなどを行わなくて済むため、接合作業がより簡素化され、装置間の衝突による部品の破損を防ぐことができる。
【００２４】
本発明の実施形態は画像形成装置だけに限定されない。例えば、複数の機能を搭載した多機能周辺装置、音楽の再生、録音を行う音響装置、または医療機器など付属の増設装置を設置できるようなものであれば、様々な装置への応用も可能となる。
【符号の説明】
【００２５】
１１    カセット
１２    定着装置
１３    搬送ベルト
１４    駆動ローラ
１５    レジストローラ対
１６    排紙トレイ
２１    原稿処理部
２２    画像読取部
２３    画像形成部
５０１    画像形成装置
８０１    増設装置
９５１    摺動部材
９２０    コネクタ受け部材
９３０    コネクタ
【先行技術文献】
【特許文献】
【００２６】
【特許文献１】特開２０１１−１６６０８２号公報
【特許文献２】特開２００５−０９１５２１号公報
【図１】
2017009714.tif 000003
【図２】
2017009714.tif 000004
【図３】
2017009714.tif 000005
【図４】
2017009714.tif 000006